(57)【要約】 【課題】エンドユーザーが、プッシュ・プル仕様と、片面的仕様とを、自由に選択することができること。【解決手段】押圧片によって移動可能な第１摺動体と第２摺動体を錠箱内に設け、一方、錠箱の前板の開口を基準にして該前板の裏側に筒状の支持体を固定し、この筒状の支持体に外端部分が前記開口に位置するように可動体を回転自在に内装し、仕様態様の切替え時、前記可動体の外端部分を前板側から操作具を介して操作すると、前記可動体の前記筒状支持体の内端面から突出する障害部分は、前記摺動体の前進を阻止するように位置変位して、本来的なプッシュ・プル仕様から片面的仕様態様に切り替わることを特徴とするプシュ・プル錠。【選択図】  図４
2007120117.tif 000002
【特許請求の範囲】
【請求項１】
押圧片によって移動可能な第１摺動体と第２摺動体を錠箱内に設け、一方、錠箱の前板の開口を基準にして該前板の裏側に筒状の支持体を固定し、この支持体に外端部分が前記開口に位置するように可動体を回転自在に内装し、仕様態様の切替え時、前記可動体の外端部分を前板側から操作具を介して操作すると、前記可動体の前記筒状支持体の内端面から突出する障害部分は、前記摺動体の前進を阻止するように位置変位して、本来的なプッシュ・プル仕様から片面的仕様態様に切り替わることを特徴とするプシュ・プル錠。
【請求項２】
請求項１に於いて、可動体には、外端面から内部へと専用の操作具を差し込むことができる挿入溝が形成されていることを特徴とするプシュ・プル錠。
【請求項３】
請求項１に於いて、専用の操作具は、磁性体であり、一方、可動体の外端部分の外端面は、前記操作具に吸着し得ることを特徴とするプシュ・プル錠。
【請求項４】
ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱の前板の開口を基準にして該前板の裏側に筒状の支持体を固定し、この支持体に外端部分が前記開口に位置するように可動体を回転自在に内装し、仕様態様の切替え時、前記可動体の外端部分を前板側から操作具を介して操作すると、前記可動体の前記筒状支持体の内端面から突出する障害部分は、前記同調部材の前進を阻止するように位置変位して、本来的なプッシュ・プル仕様から片面的仕様態様に切り替わることを特徴とするプシュ・プル錠。
【請求項５】
押圧片によって移動可能な第１摺動体と第２摺動体を錠箱内に設け、一方、錠箱の前板の中心開口を基準にして該前板の裏側に固定軸状の支持体を固定し、この支持体に筒状の可動体を回転自在に外嵌合し、仕様態様の切替え時、前記前板の案内孔に係合する可動体の係合突起を前板側から操作具を介して操作すると、前記可動体の後端部から突出する障害部分は、前記摺動体の前進を阻止するように位置変位して、本来的なプッシュ・プル仕様から片面的仕様態様に切り替わることを特徴とするプシュ・プル錠。
【請求項６】
ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱の前板の中心開口を基準にして該前板の裏側に固定軸状の支持体を固定し、この支持体に筒状の可動体を回転自在に外嵌合し、仕様態様の切替え時、前記前板の案内孔に係合する可動体の係合突起を前板側から操作具を介して操作すると、前記可動体の後端部から突出する障害部分は、前記同調部材の前進を阻止するように位置変位して、本来的なプッシュ・プル仕様から片面的仕様態様に切り替わることを特徴とするプシュ・プル錠。
【発明の詳細な説明】
【技術分野】
【０００１】
本発明は、プシュ・プル錠に関し、特に可動体を操作すると、本来的なプッシュ・プル仕様から片面的仕様態様に切り替わるプシュ・プル錠に関する。
【背景技術】
【０００２】
特許文献１、特許文献２には、「扉の取付け場所（例えばドアクローザが必要ない室内扉）を考慮し、ユーザーが錠箱の前板から見える可動体の操作部を操作すると、プッシュ・プル仕様から片面的仕様（プル仕様、又はプッシュ仕様）へと切り換るプッシュ・プル錠の具体的構成」が開示されている。
【０００３】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【０００４】
その理由は、プッシュ・プル仕様から片面的仕様（例えばプル仕様）に切り換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【特許文献１】特開２００４−２１１５２９号公報
【特許文献２】特開２００４−２２５３８４号公報
【発明の開示】
【発明が解決しようとする課題】
【０００５】
本発明の第１の目的は、エンドユーザーが、前板側から操作具を介して可動体を回転すると、簡単にプッシュ・プル仕様から片面的仕様（プル仕様、又はプッシュ仕様）に切替えることができること。第２の目的は、規制対象の摺動体（第１実施例）又は同調部材（第２実施例）の所定方向への移動を確実に阻止することができること。第３の目的は、例えば子供に悪戯され、簡単に仕様が切り換らないことである。
【課題を解決するための手段】
【０００６】
本発明のプシュ・プル錠は、押圧片によって移動可能な第１摺動体と第２摺動体を錠箱内に設け、一方、錠箱の前板の開口を基準にして該前板の裏側に筒状の支持体を固定し、この支持体に外端部分が前記開口に位置するように可動体を回転自在に内装し、仕様態様の切替え時、前記可動体の外端部分を前板側から操作具を介して操作すると、前記可動体の前記筒状支持体の内端面から突出する障害部分は、前記摺動体の前進を阻止するように位置変位して、本来的なプッシュ・プル仕様から片面的仕様態様に切り替わること。
【０００７】
また、本発明のプシュ・プル錠は、ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱の前板の開口を基準にして該前板の裏側に筒状の支持体を固定し、この支持体に外端部分が前記開口に位置するように可動体を回転自在に内装し、仕様態様の切替え時、前記可動体の外端部分を前板側から操作具を介して操作すると、前記可動体の前記筒状支持体の内端面から突出する障害部分は、前記同調部材の前進を阻止するように位置変位して、本来的なプッシュ・プル仕様から片面的仕様態様に切り替わること。
【０００８】
また、本発明のプシュ・プル錠は、押圧片によって移動可能な第１摺動体と第２摺動体を錠箱内に設け、一方、錠箱の前板の中心開口を基準にして該前板の裏側に固定軸状の支持体を固定し、この支持体に筒状の可動体を回転自在に外嵌合し、仕様態様の切替え時、前記前板の案内孔に係合する可動体の係合突起を前板側から操作具を介して操作すると、前記可動体の後端部から突出する障害部分は、前記摺動体の前進を阻止するように位置変位して、本来的なプッシュ・プル仕様から片面的仕様態様に切り替わること。
【０００９】
さらに、本発明のプシュ・プル錠は、ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、錠箱の前板の中心開口を基準にして該前板の裏側に固定軸状の支持体を固定し、この支持体に筒状の可動体を回転自在に外嵌合し、仕様態様の切替え時、前記前板の案内孔に係合する可動体の係合突起を前板側から操作具を介して操作すると、前記可動体の後端部から突出する障害部分は、前記同調部材の前進を阻止するように位置変位して、本来的なプッシュ・プル仕様から片面的仕様態様に切り替わることを特徴とする。
【発明の効果】
【００１０】
以上の説明から明らかなように、本発明にあっては、次に列挙するような効果がある。
（１）エンドユーザーが建物の扉の取付け場所を考慮し、プッシュ・プル仕様と、片面的仕様（プル仕様、又はプッシュ仕様）とを、自由に選択することができる。
（２）仕様態様の切替え時、前板７側から、操作具を介して可動体を回転すると、摺動体（例えば第１実施例の第２摺動体４７）或いは同調部材３９Ａ（第２実施例）の先端部に対向するので、簡単にプッシュ・プル仕様から片面的仕様に、又は片面的仕様から本来的なプッシュ・プル仕様に切替えることができる。
（３）また、規制対象の摺動体（第１実施例）又は同調部材（第２実施例）の所定方向への移動を確実に阻止することができる。
（４）専用の操作具を用いる実施例の場合には、例えば子供に悪戯され、簡単に仕様が切り換らない。
【発明を実施するための最良の形態】
【００１１】
まず、本発明の第１実施例を説明する。なお、本発明の各実施例の説明に当たって、特許文献１に記載の発明と同一の部分には、同一又は同様の符号を付する。本発明の第１実施例が特許文献１（公知例）と主に異なる点は、従来の仕様変換手段は、操作部としての嵌合突起が前板の開口に回転自在に設けられたボタン式回転体であるのに対して、本実施例の仕様変換手段は、前板の裏面に固定される筒状支持体と、この筒状支持体内に回転自在に設けられ、かつ、操作具によって所定位置へと回転する可動体の「ニ物品」から成る。以下、本発明の構成を詳細に説明する。
【００１２】
（ａ）第１実施例
図１乃至図９は、第１実施例を示す各説明図である。まず、図１は発明を構成する環境全体を示す。この図１に於いて、Ｘは錠箱の上部空間に配設されたラッチの係止解除機構、Ｙは錠箱の下部空間に配設されたサムターン錠の締め出し防止機構、１は戸枠、２は受け金具、３は受け金具の縁、４は扉、５は扉の自由端部内に設けた錠前（プッシュ・プル錠）、６は錠箱、７は錠箱の前板、８はラッチ枠部である。
【００１３】
なお、錠箱５内は、開扉の時に不注意によりラッチを施錠した状態で扉を閉めた時にラッチの施錠状態が自動的に解錠状態となるサムターン錠の締め出し防止装置Ｙとが設けられている。
【００１４】
（ｂ）図２−錠箱６の構成
次に、図２は錠箱６の構成を示す。また、図３はラッチ枠部８、ラッチ３０、ラッチ作動杆３３等を示す。これら図２、図３に於いて、６ａはケース身、６ｂはケース蓋、７は前板（裏板７ａとフロント７ｂ）、８はラッチ枠部、９は前板７の中央部に形成されたラッチ用開口窓である。
【００１５】
前記ラッチ枠部８は、図３で示すように、上壁８ａと、下壁８ｂ、後壁８ｃとを有する端面コ字型形状である。そして、前記上壁８ａにはラッチの係止解除機構Ｘを構成するラッチ施錠片（第１施錠片）６０用の第１受入れ孔１０が形成され、一方、下壁８ｂには、第２施錠片７１用の第２受入れ孔１１が形成されている。また、第１・第２受入れ孔１０，１１は、開口窓９側から前記後壁８ｃに向かって形成された水平長孔である。またラッチ枠部８の後壁８ｃの一側壁には、上下方向の一部に作動杆３３用の切欠部１２が形成されている。
【００１６】
図２に戻って、１４は前板７に形成された可動体４０用開口で、この開口１４の後方には、前板７の裏面に対して、或いは錠箱の内壁面に対して、「固定部材としての筒状支持体１５」が設けられている。
【００１７】
また、１６は前記筒状支持体１５を基準にして上下に設けられた第１摺動体用の上方水平案内部、一方、１７は錠箱６の下方隅角部に形成されたサムターンダルマ用軸孔１８を基準にして上下かつオフセット状態に設けられたリリーススライダー用の下方水平案内部である。
【００１８】
また、１８はサムターンダルマ用軸孔、２０は錠箱６の上部側に形成された操作ハンドルに連動する、或いは操作ハンドルの水平軸に一体的に固定された押圧片４８，４９用の矩形状窓孔である。
【００１９】
さらに、錠箱６には固定軸が複数個配設されている。固定軸を上方から順番に説明すると、２１は第１固定軸、２２は第２固定軸、２３は第３固定軸、２４は第４固定軸、そして、２５は錠箱の底壁の中央部に設けられた第５固定軸である。
【００２０】
（ｃ）ラッチなど−図３
次に、図３に於いて、３０はラッチ、３０ａは開口縁３と摺接する衝止面、３０ｂ，３０ｂは回転軸機能、係合機能等を有する突起部、３０ｃ，３０ｃはラッチの後端部、３１は後端部に形成されバネ端収納部である。
【００２１】
また、３２はラッチバネで、この一端部３２ａは、ラッチの作動杆３３の端面Ｌ型状先端部３４に圧接し、一方、その他端部３２ｂはラッチ枠部８の後壁８ｃ内面に圧接する。
【００２２】
また、３３はラッチの作動杆、３４は作動杆の先端部、３４ａはラッチバネ３２の一端部３２ａを受けるバネ端支持壁、３４ｂは支持壁３４ａと交差する先端部一側壁、３５はラッチ枠部８の切欠部１２に案内される摺動壁である。しかして、前記バネ端支持壁３４ａの内壁面と後端部の前壁面との間には、バネ収納空間３６が設けられている。また前記後端部には、その後壁面の上端部寄りの部位から底壁面に向かって傾斜状の係合面３７ａを有する係合切欠部３７が形成されている。
【００２３】
（ｄ）前板、固定部材、可動部材−図４
次に、図４は主要部を構成する前板７、固定部材１５、可動部材４０などを示す。図４に於いて、１５は前板７の円形開口１４を基準にして、開口１４縁部の内壁面に固定された固定部材である。固定部材１５は、本実施例では、筒状の支持体である。筒状支持体１５の大きさ及び形状は、摺動部材４７の先端部の位置関係を考慮して適宜に設定される。
【００２４】
筒状支持体１５は、所定長さの収納部１５ａと、この収納部１５ａの先端部に周設したフランジ部１５ｂとを有し、前記フランジ部１５ｂの先端面（外端面）は、前述したように、開口１４を取り囲むように前板１７の裏側（例えば裏面）に複数個の固着具１５ｃを介して固定されている。
【００２５】
一方、可動体４０は、筒状支持体１５の収納部１５ａに内装される胴体部分４１と、この胴体部分４１の先端面の中央部に形成された突起軸状の外端部分（先端部分）４２と、胴体部分４１の後端面（内端面）に形成され、かつ、筒状支持体１５の後端面（内端面）から突出する長板状或いは長杆状の障害部分４３とから成る。
【００２６】
ところで、本実施例の可動体４０は、例えば子供に悪戯され、簡単に仕様が切り換らないように、専用の操作具Ｋを介して所定量回転する。
【００２７】
そこで、可動体４０には、外端面から内部へと専用の操作具Ｋの先端部分（例えば鍵のブレートに相当する部分）を差し込むことができる挿入溝（例えば鍵穴）４４が形成されている。
【００２８】
筒状支持体１５の収納部１５ａの適宜箇所に形成した装着小孔には、付勢部材４５が組み込まれている。付勢部材４５は、不番の止め具、クリックバネ、クリックボールから成り、前記クリックボールは、可動体４３の周壁に所定間隔を有して形成された複数個の小係合溝に選択的に係脱する。
【００２９】
また、前記操作具Ｋは、鍵に相当する部材である専用治具である旨を説明したが、専用の操作具Ｋが磁性体である場合には、可動体４０の外端部分の外端面は、前記操作具に吸着し得るように構成される。この点に関して付言すれば、例えば先端部分４２を操作具Ｋの極性に対応して吸着する磁石にするとか、或いは先端部分４２に金属板を固定するとか、或いはまた、可動体４０を吸着可能な金属で製作するとかである。もちろん、専用の操作具Ｋが磁性体である場合には、先端部分４２に挿入溝４４が形成する必要はない。
【００３０】
さらに、補足すると、操作具Ｋを可動体４０に差し込んだ場合に可動体４０が錠箱５の内部へ移動しないように、例えば可動体４０の周壁に図示しない周溝を形成し、この周溝に係合する係合突起や係合ピンを外筒体１５側に設けるのが望ましい。
【００３１】
（ｅ）摺動体４６．４７など−図５
次に、図５は錠箱５の上方の収納空間に水平状態に配設されたプッシュ・プル用摺動体４６，４７と摺動体用付勢バネ５２を示す。なお、ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする（図１参照）。
【００３２】
まず、外枠の第１摺動体４６は、複数個の係合突起を介して錠箱６の上方水平案内部１６に水平動自在に設けられている。しかして、４６ａは上壁部、４６ｂは下壁部、４６ｃは上下壁部と直交する後壁部、４６ｄは後壁部に対して所要の空間を有して対向する前壁部である。前記後壁部４６ｃの内壁面は前述した上下の押圧片４８，４９を受ける受け板の機能を有する。また前記下壁部４６ｂの一部には揺動レバー５５用の切欠部５１が形成されている。
【００３３】
さらに、前記前壁部４６ｄは摺動体用付勢バネ５２の一端部を受ける機能や保持手段１５と当接する機能を有する。しかも、前壁部４６ｄは上下壁部４６ａ，４６ｂの先端部寄りの部位に設けられていると共に、ケース身６ａの幅広側壁側には、第２摺動体４７の移動を許容する図示しない切欠部を有している。
【００３４】
次に、内側の第２摺動体４７は、横長のコ時型形状に形成され、可動体４０及び上下の押圧片４８，４９にそれぞれ関連付けられて（可動体４０の障害部分４３に対向可能、押圧片４８，４９に係合する意味）外枠第１摺動体４６内に水平動自在に設けられている。
【００３５】
しかして、４７ａは内側の上壁部、４７ｂは内側の下壁部、４７ｃは上下壁部４７ａ，４７ｂと直交する内側の後壁部、４７ｄは後壁部と対向するバネ受け用隔壁、４７ｅは可動体４０のストッパー４２と関係する先端部である。
【００３６】
前記内側の上下壁４７ａ，４７ｂの先端部寄りの部位には、逃し用切欠部５３が形成され、また前記内側の下壁４７ｂの一部には、揺動レバー用の切欠部５１と同様の内側切欠部５４が形成されている。さらに、前記バネ受け用隔壁４７ｄは前述した摺動体用付勢バネ５２の他端部を受ける。したがって、摺動体用付勢バネ５２は、第１及び第２摺動体４６，４７内に組み込まれている。
【００３７】
（ｆ）揺動レバー５５など−図１
次に図１を参照にして揺動レバー５５等について説明する。５５は第２固定軸２２に軸支された揺動レバーである。この揺動レバー５５の上方のアーム部５６は、第１及び第２摺動体４６，４７の各切欠部５１，５４に係合している。一方、アーム部５６に連設する下方部分にはバネ受け部５７が形成されている。前記アーム部５６の先端部には係合突起５６ａが設けられ、この係合突起５６ａは、ラッチ用第１の施錠片６０の上辺部分と常に係合している。
【００３８】
また、５８は第２固定軸２２に巻装された揺動レバー用バネで、このバネ５８は揺動レバー５５のアーム部５６が常時第１及び第２摺動体４６，４７の各切欠部５１，５４に係合する方向へと付勢する。
【００３９】
また、６０は第１固定軸２１に軸支された長板状の第１の施錠片で、この第１の施錠片の先端部側には、ラッチ枠部８の第１受入れ孔１０から入り込んでラッチ３０の突起部３０ｂと係脱する幅広の第１係合部６１が設けられている。一方、第１の施錠片の後端部側には、第１摺動体４６の後端下部と当接する傾斜状の第２係合部６２が設けられている。
【００４０】
また、６３は第１固定軸２１に中央部が巻装された第１施錠片用バネで、この第１施錠片用バネ６３は、前記第１係合部６１がラッチ３０の突起部３０ｂに係合する方向へ常時付勢する。
【００４１】
（ｇ）作用の１−図６
前述したように、この実施例では、前板７の手前から専用の操作具Ｋを介して可動体４０を操作すると、プッシュ・プル錠におけるラッチ施錠片６０の解除態様が、プッシュ・プル仕様又はプル仕様（又はプッシュ仕様）のいずれかに切り替わる。
【００４２】
まず、図６は可動体４０が略水平状態に位置している場合である。すなわち、可動体４０の障害部分４３が水平状態の場合に於いて、当該操作ハンドル（内外の操作ハンドル如何を問わない）を「プル（引く操作）」又は「プッシュ（押す操作）」した場合である。
【００４３】
この場合プッシュ・プル錠は、本来的意味でのプッシュ・プル仕様である。すなわち、外側の操作ハンドルであろうと、又は内側の操作ハンドルであろうと、手にした当該操作ハンドルを「プル」又は「プッシュ」すると、第１摺動体４６は後退方向へ、又は第２摺動体４７は前進方向へそれぞれ移動する。その結果、ラッチ施錠片６０はダイレクトに、又は揺動レバー５５を介して係合解錠方向へ回動（揺動）する。
【００４４】
ところで、図１、図６に於いて、ここでは説明の便宜上、第１摺動体４６がプル用として機能した場合（プル用摺動体）、一方、第２摺動体４７がプッシュ用として機能した場合（プッシュ用摺動体）をその作用の一例として説明する。
【００４５】
すなわち、ここでは外枠の第１摺動体４６（一方）を、内外の操作ハンドルを「プル（引く操作）」した時に水平移動するプル用摺動体とし、内側の第２摺動体４７（他方）を、内外の操作ハンドルを「プッシュ（押す操作）」した時に水平移動するプッシュ用摺動体とする。
【００４６】
また、錠箱６の窓孔２０からは、内外の操作ハンドルの上下の押圧片４８，４９が水平状態に入り込んでいるが、図１を基準にして上の押圧片４８が後退（錠箱の後壁に向かって移動）する場合は「プル時」とし、一方、図１を基準にして下の押圧片４９が前進（錠箱の前板に向かって移動）する場合は「プッシュ時」とする。
【００４７】
このような前提にて、例えば外側操作ハンドルのプル時（或いは内側操作ハンドルのプル時）には、外枠の第１摺動体４６は上方の押圧片４８に押されて図６矢印Ａの方向に移動する。
【００４８】
したがって、ラッチ施錠片６０は第１摺動体４６の後壁４６ｃ下部に押されることになるから、第１固定軸２１を支点にバネ６３のバネ力に抗して係合解除の方向へダイレクトに回動する。
【００４９】
一方、内側操作ハンドルのプシュ時には、今度は内側の第２摺動体４７が下方の押圧片４９に押されて図６矢印Ｂの方向に移動する。
【００５０】
したがって、ラッチ施錠片６０は、揺動レバー５５がそのバネ５８のバネ力に抗して反時計方向に回動（揺動）することになるから、第１固定軸２１を支点に係合解除の方向へ回転する。
【００５１】
なお、図６の場合に於いて、例えば内側操作ハンドルのプル時には、外枠の第１摺動体４６は下方の押圧片４８に押されて図６矢印Ａの方向に移動する。また内外操作ハンドルのプシュ時には、内側の第２摺動体４７の上下壁４７ａ，４７ｂの先端部４７ｅ，４７ｅは、第２摺動体４７が図６の矢印Ｂ方向へ移動すると、可動体４０の障害部分４３を避けて前進することが可能である。
【００５２】
（ｈ）作用の２−図７
これに対して、図７は可動体４０の障害部分４３が傾斜或いは垂直状態（案内案の形成位置如何）である。この場合には、プッシュ・プル錠におけるラッチ施錠片６０の解除態様が、プッシュ・プル仕様から、いずれか一方の仕様（例えばプル仕様）に切り替わる。
【００５３】
この実施例では、内外の操作ハンドルのプル時に上下の押圧片４８，４９が図６の矢印Ａ方向へ移動することを前提にしているので、かような前提条件の場合には、プッシュ操作時、内側の第２摺動体４７の前進は、可動体４０の障害部分４３に阻まれるので、プッシュ操作でのラッチ施錠片６０の係合解除は不可ということになる。
【００５４】
一方、プル操作時、外側の第１摺動体４６は上下いずれかの押圧片４８，４９によって矢印Ａ方向へ移動可能なので、ラッチ施錠片６０は前述したように係合解除の方向へ回転する。したがって、図７の仕様は、本来的なプッシュ・プル仕様でないから、片面的仕様（プル仕様）ということになる。
【００５５】
次に、図１０乃至図１３を参照にして、本発明の第２実施例を説明する。第２実施例は、特許文献２に記載の錠前に本発明を適用したものである。したがって、第２実施例は、錠前５Ａの構造が相違する点を除き、第１実施例と発明の主たる構成は同一である。
【００５６】
なお、第２実施例の説明にあたって、第１実施例と同一の部分には同一の符号を付して重複する説明を割愛する。また、第２実施例の錠前５Ａの構成・作用を説明するにあたって、特許文献２と同一の部分には、特許文献２と同様の符号（例えばＡを付加）を用いることにする。
【００５７】
したがって、１Ａは戸枠、２Ａは受け金具、３Ａは縁、４Ａは扉、５Ａは錠前（プッシュ・プル錠）、７Ａは前板、１４Ａは開口等である。また、１６Ａは揺動片（押圧片）用の窓、３２Ａは可動枠部材、３３Ａはラッチロッド、３４Ａはラッチ用支持ブロック、３５Ａはラッチ等である。
【００５８】
さて、第２実施例の錠前５Ａの錠箱６Ａ内には、プッシュ及びプルの操作が可能な内側ハンドルを操作すると、該ハンドル側の揺動片（押圧片）５１Ａの駆動力によって左右（フロント側又はケースの後壁側）にそれぞれ水平移動する一つの同調部材３９Ａ（枠状摺動部材）と、この同調部材３９Ａが水平動すると、該同調部材の上方に配設された板状係合保持部材４１Ｃを介して係合解除の方向（上方方向）に内装ばね４８Ａのバネ力に抗して持ち上げられる可動ストッパー３８Ａと、該可動ストッパー３８Ａによって規制が解消され、かつ、反転式のラッチ３５Ａの回動に伴い、後方配設のばね部材３７Ａのバネ力に抗して錠箱６Ａの後壁側へラッチロッド３３Ａを介して後退する枠状可動枠部材３２Ａが組み込まれている。
【００５９】
前記ラッチ３５Ａの仮施錠時（可動ストッパー３８Ａが上方の内装バネ４８Ａのバネ力により下方に下降している場合）に於いて、同調部材３９Ａは、錠箱６Ａの下部に左右対称に配設された付勢手段４０Ｆ（可動ブロック４２，付勢ばね４０ｂ）の付勢ばね４０ｂのバネ力により、可動枠部材３２Ａに間接的に係合する位置へと自動的に復帰する。この時、前記可動ストッパー３８Ａは下降しており、係合保持部材４１Ｃの先端係合部は、逆コ字型状の同調部材３９Ａの上壁面に形成された凹所状の被係合部に係合する。
【００６０】
上記構成に於いて、可動ストッパー３８Ａは、可動枠部材３２Ａに設けた係止部と係脱されると共に、係止部と係合することにより可動枠部材３２Ａの移動を規制してラッチ３５Ａを仮施錠状態にロックする。
【００６１】
したがって、この錠前５Ａは、図示しないハンドルをプル又はプッシュすると、錠箱６Ａ内に突出するハンドル側の揺動片５１Ａの駆動力により、かつ、付勢手段４０Ｆの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠である。
【００６２】
そして、本発明の第２実施例は、錠箱５Ａの前板７Ａの開口１４Ａを基準にして該前板７Ａの裏面に筒状の支持体１５を固定し、この支持体１５に外端部分４２が位置するように可動体４０を回転自在に内装し、仕様態様の切替え時、可動体４０の先端部分４２を前板側から操作具Ｋを介して操作すると、前記可動体４０の前記筒状の支持体１５の内端面から突出する障害部分４３は、前記同調部材３９Ａの前進を阻止するように位置変位して、本来的なプッシュ・プル仕様から片面的仕様態様に切り替わる。
【００６３】
図１１で示すように、可動体４３の可動部分４３は、操作具Ｋを介して、その位置が変位（移動）する。その他基本的構成及び作用・効果は第１実施例と同一である。
したがって、図１２は、本来的なプッシュ・プル仕様の説明図であり、一方。図１３は、可動体４３の障害部分４３が同調部材３９Ａの先端部に対向して、該同調部材３９Ａの前進が阻止され、本来的なプッシュ・プル仕様からプル仕様の片面的仕様態様に切り替わる説明図である。
【実施例】
【００６４】
次に、本発明の主要部の設計変更例（便宜上、これを「第３実施例」とする）について説明する。なお、第３実施例の説明に当たって、第１実施例の主要部と同一の部材には、同一又は同様の符号を付する。
【００６５】
まず、図１４及び図１５を参照にして、符号と用語を簡単に説明する。７は前板、１４は前板の円形の中心開口（例えばメネジ孔）、１４ａは前記中心開口に対して同心円上に形成された左右或いは上下一対の案内孔（半円弧状の孔）、１５Ａは前記中心開口１４に先端部分が螺合する固定軸状支持体、一方、４０Ａは前記支持体１５Ａに外嵌合する筒状の可動体、１５ｄは可動体４０Ａが所定位置で回転するように支持体１５Ａの後端部中央と可動体４０Ａの後壁中央部に設けた支軸機能を有する止め具、Ｋ１は磁性体としての専用操作具（治具）である。
【００６６】
可動体４０Ａは先端部に係合突起４２Ａを有し、一方、後端部分には後壁から突出する単数又は複数（本実施例）の突起状の障害部分４３Ａを有している。
【００６７】
また、専用操作具Ｋ１は、指で摘むことができる大きさに形成され。摘み部分と該摘み部分の一端部に設けられた磁石とから成る。
【００６８】
付言すると、図１５で示すように、筒状の可動体４０Ａの先端部には、左右の案内孔１４ａにそれぞれ係合する一対の係合突起４２Ａが設けられている。これらの係合突起４２Ａは、第１実施例で説明したように、例えば操作具Ｋ１の極性に対応して吸着する磁石であるとか、或いは係合突起４２Ａに小金属板を固定するとか、或いはまた、可動体４０Ａ全体を吸着可能な金属で製作するとかである。
【００６９】
上記構成に於いては、錠箱の前板７の円形又は角形の開口１４を基準にして該前板７の裏面に固定軸状の支持体１５Ａを固定し、この支持体に先端部分の係合突起４２Ａが前板７に形成した案内孔１４ａにそれぞれ係合するように回転自在に外嵌合し、仕様態様の切替え時、前記可動体４０Ａの先端部分を前板７側から操作具Ｋ１を介して操作すると、前記可動体４０Ａの後端部分の突起状障害部分４３Ａは、第２摺動体（第１実施例）や同調部材（第２実施例）の前進を阻止するように変位して、本来的なプッシュ・プル仕様から片面的仕様態様に切り替わる。
【図面の簡単な説明】
【００７０】
図１乃至図９は、本発明の第１実施例を示す各説明図。図１０乃至図１３は、本発明の第２実施例を示す各説明図。図１４乃至図１５は、本発明の主要部の設計変更例（第３実施例）を示す各説明図。
【図１】扉の閉戸時における錠前の一例を示す概略説明図。
【図２】ケース身を主とした錠箱の説明図。
【図３】ラッチ、ラッチ枠部、作動杆等の説明図。
【図４】図４の（１）、（２）は、要部（前板、支持体、可動体等）の各説明図。
【図５】第１・第２摺動体等の説明図。
【図６】プッシュ・プル仕様時の作動状態の説明図。
【図７】片面的仕様（例えばプル仕様）時の作動状態の説明図。
【図８】主要部の分解斜視図。
【図９】主要部を組み合わせた状態の概略説明図。
【図１０】本発明を異なる錠前に適用した概略説明図（第２実施例）。
【図１１】主要部の拡大説明図。
【図１２】図６と同様のプッシュ・プル仕様時の作動状態の説明図。
【図１３】図７と同様の片面的仕様（例えばプル仕様）時の作動状態の説明図。
【図１４】第３実施例の主要部の概略断面説明図。
【図１５】第３実施例の主要部を前板側から見た説明図。
【符号の説明】
【００７１】
１，１Ａ…戸枠、２，２Ａ…受け金具、３，３Ａ…縁、４，４Ａ…扉、５、５Ａ…錠前（プッシュ・プル錠）、６，６Ａ…錠箱、７，７Ａ…前板、１４，１４Ａ…開口、１５，１５Ａ…支持体、１６Ａ…揺動片（押圧片）用窓、２０…窓孔、３０，３５Ａ…ラッチ、４０，４０Ａ…可動体、４２…外端部分、４２Ａ…係合突起、４３，４３Ａ…障害部分、４４…挿入溝（係合溝）、Ｋ，Ｋ１…操作具、４７…第２摺動体、４７ｅ…摺動体の先端部、４８，４９…押圧片、３２Ａ…可動枠部材、３４Ａ…ラッチ用支持ブロック、３８Ａ…可動ストッパー、３９Ａ…同調部材（枠状摺動部材）、４０Ｆ…付勢手段、４２…可動ブロック。
【図１】
2007120117.tif 000003
【図２】
2007120117.tif 000004
【図３】
2007120117.tif 000005
【図４】
2007120117.tif 000006
【図５】
2007120117.tif 000007
【図６】
2007120117.tif 000008
【図７】
2007120117.tif 000009
【図８】
2007120117.tif 000010
【図９】
2007120117.tif 000011
【図１０】
2007120117.tif 000012
【図１１】
2007120117.tif 000013
【図１２】
2007120117.tif 000014
【図１３】
2007120117.tif 000015
【図１４】
2007120117.tif 000016
【図１５】
2007120117.tif 000017